(57)【特許請求の範囲】
【請求項１】
排水口および前後左右の四隅の台座を備える水受部の周囲に溢水防止壁が立設されてなる洗濯機用防水パンの上記台座上に、洗濯機用台車の上記台座に対応した位置に設置されているキャスタを案内するための案内路であって、
上記キャスタを、上記洗濯機用防水パンの設置面から上記溢水防止壁の上端の高さまで案内可能な１台以上のスロープ路と、
上記キャスタの前側台座上に位置する先頭キャスタを、該前側台座上から後側台座上まで渡し可能な１台以上の渡し路と、
から構成されていることを特徴とする、洗濯機用台車を洗濯機用防水パンの台座上へ案内するための案内路。
【請求項２】
上記スロープ路の上方終点に続いて平坦面が設けられていることを特徴とする請求項１に記載の洗濯機用台車を洗濯機用防水パンの台座上へ案内するための案内路。
【請求項３】
上記スロープ路と平坦面の部分とが、別体となっていることを特徴とする請求項２に記載の洗濯機用台車を洗濯機用防水パンの台座上へ案内するための案内路。
【請求項４】
上記平坦面の部分が、複数個に分割可能となっていることを特徴とする請求項２または請求項３に記載の洗濯機用台車を洗濯機用防水パンの台座上へ案内するための案内路。
【請求項５】
上記渡し路が、上記四隅の台座における前後の台座上に架け渡し可能に構成されている架橋体であることを特徴とする請求項１に記載の洗濯機用台車を洗濯機用防水パンの台座上へ案内するための案内路。
【請求項６】
上記架橋体が、伸縮可能に構成され、且つ伸長方向に付勢されていることを特徴とする請求項５に記載の洗濯機用台車を洗濯機用防水パンの台座上へ案内するための案内路。
【請求項７】
上記水受部の上面と、所定の台座間に架設された上記架橋体の下面と、の間に配置可能であり、且つ上下方向に伸縮可能に構成されている支持脚が設けられていることを特徴とする請求項５に記載の洗濯機用台車を洗濯機用防水パンの台座上へ案内するための案内路。
【請求項８】
上記渡し路が、上記四隅の台座における前後の台座の間に嵌入可能なスペーサ台であって、上下方向および前後の台座の間隙方向に伸縮調節可能となっていることを特徴とする請求項１に記載の洗濯機用台車を洗濯機用防水パンの台座上へ案内するための案内路。
【請求項９】
上記渡し路が、該渡し路上に水が生じた場合にその水を上記水受部内へ落下可能に構成されていることを特徴とする請求項１に記載の洗濯機用台車を洗濯機用防水パンの台座上へ案内するための案内路。
【請求項１０】
上記渡し路上に水が生じた場合にその水を上記水受部内へ落下させることができるように、上記渡し路の全部または一部分がメッシュ材で形成されていることを特徴とする請求項９に記載の洗濯機用台車を洗濯機用防水パンの台座上へ案内するための案内路。
【発明の詳細な説明】
【技術分野】
【０００１】
本発明は、洗濯機を載せた洗濯機用台車を、洗濯機用防水パンに備える台座上へ案内するための案内路に関する。
【背景技術】
【０００２】
近年、洗濯機の進化は目覚ましく、今日では二層式の洗濯機に代わりドラム式の洗濯機が主流になっていて、さらには、洗濯を終えた衣類を乾燥させるための乾燥機能を備えるまで進化している。
【０００３】
この乾燥機能を備えるドラム式洗濯機の重量が９０ｋｇ近い製品もあって、このため、購入した時の洗濯機場への搬入の際は、洗濯機を移動用台車に載せて搬入している。
【０００４】
そして、一戸建て住宅や防水パンの設置が義務付けられていない集合住宅等では、洗濯機を市販の洗濯機台車に載せて洗濯機置場まで搬入し、洗濯機をこの洗濯機台車ごと洗濯機置場に設置することが行われている。これにより、洗濯機置場を清掃する際や洗濯機排水の排水管を清掃する際、洗濯機を簡単に移動させることができるのである。
【０００５】
しかしながら、近年建設数を増している特に高層の集合住宅では、階下への漏水を防止するために洗濯機置場には防水パンの設置が義務付けられていて、洗濯機はこの防水パン内に設置するように規定されている。
【０００６】
このため、洗濯機置場まで移動用台車に載せて運ばれてきた洗濯機は、移動用台車の上から防水パンの上に人の手によって移設されるのであるが、上述したように、乾燥機能を備えるドラム式洗濯機の重量は９０ｋｇ近くあり、また、洗濯機置場のスペースも近年の集合住宅事情によって洗濯機の設置スペースも縮小されているので、重い洗濯機を人の手で移動用台車の上から防水パンの上に移設するのは非常に大変な作業となっており、移設時に手などが壁と洗濯機との間に挟まれたり、また足の上に洗濯機を落下させてしまうなどの事故も発生していて、非常に危険を伴う作業であった。
【０００７】
また、洗濯機が設置されてしまうと、居住者が洗濯機置場（防水パン内など）を清掃しようとしても洗濯機を簡単に移動させることができないため、洗濯機置場の衛生面が低下してしまい、また、同様に洗濯機排水の排水管を清掃する際も洗濯機を簡単に移動させることができず、排水管清掃が実施できない或いは実施されないなどの問題が生じている。
【先行技術文献】
【特許文献】
【０００８】
【特許文献１】特開２０１７−２０１７８号公報
【発明の概要】
【発明が解決しようとする課題】
【０００９】
本発明の目的は、洗濯機を載せた洗濯機用台車を、簡単且つ容易に洗濯機用防水パンに備える台座上へ案内するための案内路を提供することである。
【課題を解決するための手段】
【００１０】
本発明の洗濯機用台車を洗濯機用防水パンの台座上へ案内するための案内路の一実施例においては、排水口および前後左右の四隅の台座を備える水受部の周囲に溢水防止壁が立設されてなる洗濯機用防水パンの台座上に、洗濯機用台車の台座に対応した位置に設置されているキャスタを案内するための案内路であって、キャスタを、洗濯機用防水パンの設置面から溢水防止壁の上端の高さまで案内可能な１台以上のスロープ路と、キャスタの前側台座上に位置する先頭キャスタを、該前側台座上から後側台座上まで渡し可能な１台以上の渡し路と、から構成されていることを特徴とする。
【００１１】
また一実施例においては、スロープ路の上方終点に続いて平坦面が設けられていることを特徴とする。
【００１２】
また一実施例においては、スロープ路と平坦面の部分とが、別体となっていることを特徴とする。つまり、平坦面の部分が、スロープ路と別体となっていることを特徴とする。
【００１３】
また一実施例においては、平坦面の部分が、複数個に分割可能となっていることを特徴とする。
【００１４】
また一実施例においては、渡し路が、四隅の台座における前後の台座上に架け渡し可能に構成されている架橋体（ブリッジ）であることを特徴とする。
【００１５】
また一実施例においては、架橋体が、伸縮可能に構成され、且つ伸長方向に付勢されていることを特徴とする。
【００１６】
また一実施例においては、水受部の上面と、所定の台座間に架設された架橋体の下面と、の間に配置可能であり、且つ上下方向に伸縮可能に構成されている支持脚が設けられていることを特徴とする。
【００１７】
また一実施例においては、渡し路が、四隅の台座における前後の台座の間に嵌入可能なスペーサ台であって、上下方向および前後の台座の間隙方向に伸縮調節可能となっていることを特徴とする。
【００１８】
また一実施例においては、渡し路が、該渡し路上に水が生じた場合にその水を水受部内へ落下可能に構成されていることを特徴とする。
【００１９】
さらなる実施例においては、渡し路上に水が生じた場合にその水を上記水受部内へ落下させることができるように、渡し路の全部または一部分がメッシュ材で形成されていることを特徴とする。
【図面の簡単な説明】
【００２０】
【図１】本発明に係る案内路の一実施例を示す斜視図。
【図２】洗濯機用防水パンの一実施例を示す斜視図。
【図３】図１の案内路を洗濯機用防水パンに配置した状態を示す斜視図。
【図４】案内路の洗濯機用防水パンへの設置方法を示す図。
【図５】洗濯機用台車の洗濯機用防水パン上への移動を示す図。
【図６】本発明に係る案内路の他の一実施例を示す斜視図。
【図７】図６の案内路を洗濯機用防水パンに配置した状態を示す斜視図。
【図８】スロープ路の他の一実施例を示す斜視図。
【図９】スロープ路の他の一実施例を示す斜視図。
【図１０】渡し路たる架橋体の一実施例を示す斜視図。
【図１１】図１０の架橋体の概略構造図。
【図１２】図１０の架橋体の洗濯機用防水パンの台座への架設方法を示す図。
【図１３】架橋体の支持脚の一実施例を示す側面図。
【図１４】渡し路たるスペーサ台の一実施例を示す斜視図。
【図１５】渡し路たる架橋体およびスペーサ台の他の一実施例を示す斜視図。
【発明を実施するための形態】
【００２１】
本発明の案内路について添付の図面を参照しつつ説明する。
【００２２】
図１は、平坦なスロープ面２の１台以上のスロープ路４と、平坦な上面６を有する１台以上の渡し路たる架橋体８とから構成されている本発明の案内路１の一実施例である。該案内路１は、スロープ路４と架橋体８とを各２セット用意している。また案内路の材料（素材）も特に限定するものでなく、洗濯機を載せた洗濯機用台車を支えられればよく、単一または複数の素材を用いて構成すればよい。
【００２３】
図２は、本発明の案内路１を適用可能な洗濯機用防水パン１０の一実施例で、該洗濯機用防水パン１０は水受部１２および溢水防止壁１４から構成され、上記水受部１２には、排水口１６および前後左右の四隅の台座（１８，２０，２２，２４）が設けられ、また溢水防止壁１４が水受部１２の周囲に立設されている。
【００２４】
図３は、案内路１を洗濯機用防水パン１０に配置した状態を示している。スロープ路４は、洗濯機用防水パン１０における前側の左台座１８および右台座２０にそれぞれ対応する位置の、溢水防止壁１４の外側に接触状態で設置される。また、架橋体８は、洗濯機用防水パン１０における前側の左台座１８と後側の左台座２２との間、および前側の右台座２０と後側の右台座２４との間にそれぞれ架設される。なお、案内路１（架橋体８）の設置は、図４（ａ），（ｂ）を合わせて参照されたい。
【００２５】
図５は、洗濯機２８を載せた洗濯機用台車３０を、洗濯機用防水パン１０の台座（１８，２０，２２，２４）の上に移動させる方法を示しており、図５（ａ）は、人力によって洗濯機用台車３０に載る洗濯機２８を押し、洗濯機用台車３０の先頭キャスタ３２を床面３４からスロープ路４のスロープ面２を通過（押上）させて洗濯機用防水パン１０の前側の台座（左台座１８、右台座２０）の上に案内し、さらに、先頭キャスタ３２を架橋体８の上面６を通過させて後側の台座（左台座２２、右台座２４）の上に案内する。なお、洗濯機用台車３０の後キャスタ４０は、洗濯機用防水パン１０の前側の台座（左台座１８、右台座２０）の上に案内される。
【００２６】
図５（ｂ）は、洗濯機用防水パン１０の台座（１８，２０，２２，２４）の上に、洗濯機２８を載せた洗濯機用台車３０が案内（設置）された状態を示している。なお、洗濯機用台車３０のキャスタは、キャスタロック４２によって固定される。また、目隠しパネル４４によって溢水防止壁１４の上端と洗濯機２８の下端との間に生じる隙間を隠している。そして、スロープ路４は撤去される。
【００２７】
上述のスロープ路４のスロープ面２の幅は、洗濯機２８を載せた洗濯機用台車３０のキャスタが安全に通過可能な幅にする。また、スロープ面２の両側縁に沿ってキャスタ脱輪防止用のガード部材（例えば突条）を設けてもよい。さらに、洗濯機用防水パン１０における前側の左台座１８および右台座２０にそれぞれ対応する設置される２つのスロープ路４を１つにまとめてもよい。この場合、洗濯機用防水パン１０の溢水防止壁１４の幅と同じ幅に合わせられるよう調節機構を設ける。
【００２８】
また、上述の架橋体８の上面６の幅は、洗濯機２８を載せた洗濯機用台車３０のキャスタが安全に通過可能な幅にする。また、上面６の両側縁に沿ってキャスタ脱輪防止用のガード部材（例えば突条）を設けてもよい。さらに、架橋体８自体の幅もしくは上面６の幅を調節可能な調節機構を設けてもよい。
【００２９】
図６は、本発明に係る案内路１の他の一実施例であり、平坦なスロープ面４６が最高点（上方終点）まで上方へ傾斜していることに続いて水平な平坦面４８が設けられているスロープ路５０と、図１に示した平坦な上面６を有する１台以上の架橋体８とから構成されている案内路１の一実施例である。なお、該渡し路８は、２セット用意している。
【００３０】
図７は、図６の案内路を洗濯機用防水パンに配置した状態を示している。スロープ路５０は、スロープ面４６が洗濯機用防水パン１０の前面に対し右側もしくは左側に位置されて平坦面４８が溢水防止壁１４の外側に接触状態で設置される。また、架橋体８は、洗濯機用防水パン１０における前側の左台座１８と後側の左台座２２との間、および前側の右台座２０と後側の右台座２４との間にそれぞれ架設される。
【００３１】
そして、図７の場合は、人力によって洗濯機２８を載せた洗濯機用台車３０を押し、洗濯機用防水パン１０の前面の左側からスロープ路５０のスロープ面４６を通過（押上）して該スロープ面４６の上方終点に続く平坦面４８に案内される。そして、洗濯機２８を載せた洗濯機用台車３０を、洗濯機用防水パン１０の台座（１８，２０，２２，２４）の上に移動(押込)させる。そして、スロープ面４６の両側縁に沿ってキャスタ脱輪防止用のガード部材（例えば、突条）を設けてもよい。また、平坦面４８の所定の縁辺にもキャスタ脱輪防止用のガード部材（例えば、突条）を設けてもよい。
【００３２】
図８、図９は、スロープ路５０の他の一実施例を示し、上述の図６、図７で示している該スロープ路５０のスロープ部分（スロープ面４６）を平坦面４８の部分と分割可能としている。図８のスロープ路５０は、スロープ面４６を有する１つのスロープ部５０１と平坦面４８の部分とから構成されている。また、図９のスロープ路５０は、スロープ面４６を有する２つのスロープ部５０２と平坦面４８の部分とから構成されている。なお、平坦面４８の部分とスロープ部（５０１，５０２）とは、それぞれを配置した際にマグネットによって磁着可能にしておくのがよい。
【００３３】
そして、本実施例では示していないが、上述の平坦面４８の部分の底面に形成している凹所に、スロープ部を収納可能に構成する場合もある。また、平坦面４８の部分を、２個、３個、４個等複数個に分割できるように構成してもよい。そして、分割した各部分を組み合わせて１つの平坦面４８の部分にする場合、分割した各部分がマグネットによって磁着可能に構成しておくのがよい。
【００３４】
図１０は、架橋体８の他の一実施例を示している。図１０に示す架橋体５２は、伸縮可能に構成されていると共に伸長方向に付勢されている。
【００３５】
図１１は、架橋体５２の概略構造を示している。架橋体５２は、本体部５４と該本体部５４内に一端部分が出入りする伸縮部５６とからなり、また該伸縮部５６は、本体部５４のスリット５８に脱落防止用のストッパ６０が遊嵌され、ばね６２によって伸長方向に付勢されている。
【００３６】
図１２は、図１０の架橋体５２を、洗濯機用防水パン１０の所定の台座間へ架設する際の一方法を示している。先ず図１２（ａ）に示すように、架橋体５２の伸縮部５６を、人の手によってばね６２の付勢力に抗して本体部５４内に適当に押し込んでその状態を保ち、次に図１２（ｂ）に示すように、架橋体５２を所定の台座（左台座１８、左台座２２）の間に配置した後、手を放して伸縮部５６の押し込み状態を解除する。これにより、架橋体５２は図１２（ｃ）に示すように、伸縮部５６がばね６２の付勢力によって本体部５４内から押し出されて台座（左台座２２）の垂直壁に当接し、且つ本体部５４も反発力によって台座（左台座１８）の垂直壁に当接して架橋体５２が台座（左台座１８、左台座２２）の間に安定して配置される。
【００３７】
図１３は、架橋体を支える支持脚の一実施例を示し、図１３（ａ）は、洗濯機用防水パン１０の水受部１２の上面と、所定の台座（左台座１８、左台座２２）間に架設された架橋体６４の下面との間に配置された支持脚６６である。該支持脚６６を用いることで、架橋体６４は上述の架橋体５２よりも厚みを薄くすることが可能となる。図１３（ｂ）は支持脚６６を示し、該支持脚６６は、雌ねじ部６８と架橋体支持部７０とからなる上方部７２と、雄ねじ部７４と水受部面設置部７６とからなる下方部７８とから構成されていて（所謂アジャスタ脚）、架橋体６４と水受部１２との間隙に合わせて上下方向に伸縮調節できる。
【００３８】
また、雌ねじ部６８と架橋体支持部７０、雄ねじ部７４と水受部面設置部７６とは、固定的な接続ではなくそれぞれの部材が自由に回転可能に接続するのが望ましく、これにより、支持脚６６の伸縮調節時の取扱いをし易くできる（本実施例での図示は省略している）。なお、架橋体支持部７０および水受部面設置部７６は、架橋体６４の幅と同じ幅寸法にすることで、架橋体６４上を洗濯機用台車３０が通過する際に該架橋体６４をより安定して支持することができる。
【００３９】
図１４は、渡し路たるスペーサ台の一実施例を示している。図１４（ａ）に示したスペーサ台８０は、本体部８２と該本体部８２内に一端部分が出入りする伸縮部８４とからなり、また、本体部８２および伸縮部８４の底部には、台座の高さに合わせて本体部８２および伸縮部８４を上下方向に伸縮調節するための、アジャスタ脚８６（図１１に示した支持脚６６と同構造）が設けられている。アジャスタ脚８６は、固定的または取り外し可能に設けてもよい。
【００４０】
図１４（ｂ）に示したスペーサ台８８は、本体部９０のスリット９２に脱落防止用のストッパ９４を遊嵌させて伸縮部９６を配し、該伸縮部９６をばね９８によって伸長方向に付勢させている。
【００４１】
また、スペーサ台（８０，８８）の上面の幅は、洗濯機２８を載せた洗濯機用台車３０のキャスタが安全に通過可能な幅にする。また、上面の両側縁に沿ってキャスタ脱輪防止用のガード部材（例えば突条）を設けてもよい。さらに、スペーサ台自体の幅もしくは上面の幅を調節可能な調節機構を設けてもよい。
【００４２】
図１５は、渡し路たる架橋体およびスペーサ台の他の一実施例を示しており、該渡し路（架橋体８）は、洗濯機等からの漏水時に水を洗濯機用防水パン１０の水受部１２へ落下できるようにしている。図１５（ａ）は、渡し路たる架橋体を、水が落下するようにメッシュ材（メッシュ部１００）を用いて構成している一実施例である。また、本体部５４と該本体部５４内に一端部分が出入りする伸縮部５６とからなる架橋体５２の場合も、本体部５４および伸縮部５６を、メッシュ材を用いて構成してもよい。なお、本図のように全体をメッシュ材で形成してもよいが、台座に乗る架橋体８の両端部分のみメッシュ材でなくてもよい。
【００４３】
図１５（ｂ）は、渡し路たる架橋体上面の少なくとも溢水防止壁１４側と台座側とに排水路１０２を設けている一実施例であり、排水路１０２に流れた水は、排水口１０４から洗濯機用防水パン１０の水受部１２へ落下する。また、台座側の排水路１０２にはメッシュ蓋１０６を設けている。なお、メッシュ蓋１０６は、溢水防止壁１４側の排水路１０２にも設けてもよい。
【００４４】
図１５（ｃ）は、渡し路たるスペーサ台８０における本体部８２および伸縮部８４を、水が落下するようにメッシュ材（メッシュ部１００）を用いて構成している一実施例である。
【００４５】
本発明の案内路によれば、洗濯機を載せた洗濯機用台車を簡単且つ容易に洗濯機用防水パンに備える台座上へ案内することができる。
【符号の説明】
【００４６】
１…案内路
２…スロープ面
４…スロープ路
６…上面
８…架橋体
１０…洗濯機用防水パン
１２…水受部
１４…溢水防止壁
１６…排水口
１８…左台座
２０…右台座
２２…左台座
２４…右台座
２８…洗濯機
３０…洗濯機用台車
３２…先頭キャスタ
４０…後キャスタ
４２…キャスタロック
４４…目隠しパネル
４６…スロープ面
４８…平坦面
５０…スロープ路
５０１…スロープ部
５０２…スロープ部
５２…架橋体
５４…本体部
５６…伸縮部
５８…スリット
６０…ストッパ
６２…ばね
６４…架橋体
６６…支持脚
６８…雌ねじ部
７０…架橋体支持部
７２…上方部
７４…雄ねじ部
７６…水受部面設置部
７８…下方部
８０…スペーサ台
８２…本体部
８４…伸縮部
８６…アジャスタ脚
８８…スペーサ台
９０…本体部
９２…スリット
９４…ストッパ
９６…伸縮部
９８…ばね
１００…メッシュ部
１０２…排水路
１０４…排水口
１０６…メッシュ蓋
【図１】
0006989113.tif 000002
【図２】
0006989113.tif 000003
【図３】
0006989113.tif 000004
【図４】
0006989113.tif 000005
【図５】
0006989113.tif 000006
【図６】
0006989113.tif 000007
【図７】
0006989113.tif 000008
【図８】
0006989113.tif 000009
【図９】
0006989113.tif 000010
【図１０】
0006989113.tif 000011
【図１１】
0006989113.tif 000012
【図１２】
0006989113.tif 000013
【図１３】
0006989113.tif 000014
【図１４】
0006989113.tif 000015
【図１５】
0006989113.tif 000016